(57)【特許請求の範囲】
【請求項１】
扱うデータを参照或いは編集するための第１のアプリケーションを内蔵した据置型の情報処理装置に対し第１の接続手段を介して通信可能に接続されると共に、前記第１のアプリケーションと同様の機能を有する第２のアプリケーション及び該第２のアプリケーションが扱うデータが格納される格納手段を内蔵した携帯型の情報機器が着脱自在にセットすることが可能で且つ前記情報機器に対し第２の接続手段を介して通信可能に接続され、前記情報処理装置及び前記情報機器間に介在してデータ共有を可能とする情報中継装置であって、
前記情報処理装置で扱うデータが格納される記憶手段と、
前記情報中継装置に前記情報機器がセットされた場合に、前記情報機器で行われたデータ操作に関わる情報を前記情報機器から前記第２の接続手段を介して受信すると、前記情報処理装置の電源オフ状態を含む前記情報処理装置が機能していない状態においても、前記記憶手段に格納されているデータに対して前記データ操作を反映させる整合処理を実行する整合手段と、
を具備することを特徴とする情報中継装置。
【請求項２】
前記データ操作は、データの削除、データの変更、データの追加のいずれかを含む操作であり、
前記整合手段は、前記情報機器から削除が行われたデータを特定するためのコードを前記データ操作に関わる情報として受信した場合には、前記記憶手段から該当するデータを削除する整合処理を行うと共に該削除したデータのコードを前記情報機器へ送信し、
前記情報機器から変更が行われたデータの内容を前記データ操作に関わる情報として受信した場合には、前記記憶手段の該当するデータを変更する整合処理を行うと共に該変更したデータの内容を前記情報機器へ送信し、
前記情報機器から新規に追加されたデータの内容を前記データ操作に関わる情報として受信した場合には、前記記憶手段にデータを追加する整合処理を行うと共に該追加したデータの内容を前記情報機器へ送信することを特徴とする請求項１記載の情報中継装置。
【請求項３】
扱うデータを参照或いは編集するための第１のアプリケーションを内蔵した据置型の情報処理装置に対し第１の接続手段を介して通信可能に接続されると共に、前記第１のアプリケーションと同様の機能を有する第２のアプリケーション及び該第２のアプリケーションが扱うデータが格納される格納手段を内蔵した携帯型の情報機器が着脱自在にセットすることが可能で且つ前記情報機器に対し第２の接続手段を介して通信可能に接続され、前記情報処理装置及び前記情報機器間に介在してデータ共有を可能とする情報中継装置であって、
前記情報処理装置により参照される更新データが格納される記憶手段と、
前記情報処理装置の前記第１のアプリケーションの実行時に、前記情報処理装置で行われたデータ操作に関わる情報を前記情報処理装置から前記第１の接続手段を介して受信すると、前記記憶手段に格納されている更新データに対して前記データ操作を反映させる整合処理を実行し、前記情報中継装置に前記情報機器がセットされた場合に、前記情報機器で行われたデータ操作に関わる情報を前記情報機器から前記第２の接続手段を介して受信すると、前記記憶手段に格納されている更新データに対して前記データ操作を反映させる整合処理を実行する整合手段と、
を具備することを特徴とする情報中継装置。
【請求項４】
前記データ操作は、データの削除、データの変更、データの追加のいずれかを含む操作であり、
前記整合手段は、前記情報処理装置或いは前記情報機器からデータの削除、データの変更、データの追加のいずれかのデータ操作が行われたことを受信した場合には、前記記憶手段に格納されている更新データに変更内容を記録する整合処理を行うことを特徴とする請求項３記載の情報中継装置。
【請求項５】
前記情報中継装置に対して複数の前記情報処理装置が同時に或いは各々単独に通信可能に接続されることを特徴とする請求項１または３記載の情報中継装置。
【請求項６】
前記情報中継装置にセットされた前記情報機器に前記第２の接続手段を介して電力を供給することで充電する充電回路を更に具備することを特徴とする請求項１または３記載の情報中継装置。
【請求項７】
請求項１乃至６のいずれか１項に記載の情報中継装置と、情報処理装置と、情報機器と、を備えることを特徴とする情報処理システム。
【請求項８】
扱うデータを参照或いは編集するための第１のアプリケーションを内蔵した据置型の情報処理装置に対し第１の接続手段を介して通信可能に接続されると共に、前記第１のアプリケーションと同様の機能を有する第２のアプリケーション及び該第２のアプリケーションが扱うデータが格納される格納手段を内蔵した携帯型の情報機器が着脱自在にセットすることが可能で且つ前記情報機器に対し第２の接続手段を介して通信可能に接続され、前記情報処理装置及び前記情報機器間に介在してデータ共有を可能とすると共に前記情報処理装置で扱うデータが格納される記憶手段を備える情報中継装置の制御方法であって、
前記情報中継装置に前記情報機器がセットされた場合に、前記情報機器で行われたデータ操作に関わる情報を前記情報機器から前記第２の接続手段を介して受信すると、前記情報処理装置の電源オフ状態を含む前記情報処理装置が機能していない状態においても、前記記憶手段に格納されているデータに対して前記データ操作を反映させる整合処理を実行する整合工程
を有することを特徴とする制御方法。
【請求項９】
扱うデータを参照或いは編集するための第１のアプリケーションを内蔵した据置型の情報処理装置に対し第１の接続手段を介して通信可能に接続されると共に、前記第１のアプリケーションと同様の機能を有する第２のアプリケーション及び該第２のアプリケーションが扱うデータが格納される格納手段を内蔵した携帯型の情報機器が着脱自在にセットすることが可能で且つ前記情報機器に対し第２の接続手段を介して通信可能に接続され、前記情報処理装置及び前記情報機器間に介在してデータ共有を可能とすると共に前記情報処理装置により参照される更新データが格納される記憶手段を備える情報中継装置の制御方法であって、
前記情報処理装置に内蔵された第１のアプリケーションの実行時に、前記情報処理装置で行われたデータ操作に関わる情報を前記情報処理装置から前記第１の接続手段を介して受信すると、前記記憶手段に格納されている更新データに対して前記データ操作を反映させる整合処理を実行し、前記情報中継装置に前記情報機器がセットされた場合に、前記情報機器で行われたデータ操作に関わる情報を前記情報機器から前記第２の接続手段を介して受信すると、前記記憶手段に格納されている更新データに対して前記データ操作を反映させる整合処理を実行する整合工程
を有することを特徴とする制御方法。
【請求項１０】
請求項８または９に記載の情報中継装置の制御方法をコンピュータに実行させるためのコンピュータ読み取り可能なプログラムを記憶したコンピュータ読み取り可能な記憶媒体。
【発明の詳細な説明】
【０００１】
【発明の属する技術分野】
本発明は、情報処理システム、情報中継装置、その制御方法及び記憶媒体に関し、特に、据置型のコンピュータと携帯型の情報機器でデータを共有する場合に好適な情報処理システム、情報中継装置、その制御方法及び記憶媒体に関する。
【０００２】
【従来の技術】
従来の情報処理システムでは、据置型のコンピュータと携帯型の情報機器との間でデータを共有する場合、据置型のコンピュータ内部のメモリと、携帯型の情報機器内部のメモリで直接整合を取る作業を行っていた。
【０００３】
【発明が解決しようとする課題】
しかしながら、上記従来の情報処理システムでは、整合を取る作業を行うためだけにも、据置型のコンピュータ側を立ち上げる必要があるという問題点があった。また、ＯＳ（オペレーティングシステム）の立ち上げ、アプリケーションの立ち上げ、ファイルシステムへのアクセスといった手順を経るため、整合を取る作業全体の時間が長くかかってしまうという問題点もあった。
【０００４】
本発明は、上述した点に鑑みなされたものであり、データの整合を取る作業を行うためだけに据置型の情報処理装置側の立ち上げを必要とせず、短時間で整合作業を行うことができる情報処理システム、情報中継装置、その制御方法及び記憶媒体を提供することを目的とする。
【０００５】
【課題を解決するための手段】
上記目的を達成するため、本発明は、扱うデータを参照或いは編集するための第１のアプリケーションを内蔵した据置型の情報処理装置に対し第１の接続手段を介して通信可能に接続されると共に、前記第１のアプリケーションと同様の機能を有する第２のアプリケーション及び該第２のアプリケーションが扱うデータが格納される格納手段を内蔵した携帯型の情報機器が着脱自在にセットすることが可能で且つ前記情報機器に対し第２の接続手段を介して通信可能に接続され、前記情報処理装置及び前記情報機器間に介在してデータ共有を可能とする情報中継装置であって、前記情報処理装置で扱うデータが格納される記憶手段と、前記情報中継装置に前記情報機器がセットされた場合に、前記情報機器で行われたデータ操作に関わる情報を前記情報機器から前記第２の接続手段を介して受信すると、前記情報処理装置の電源オフ状態を含む前記情報処理装置が機能していない状態においても、前記記憶手段に格納されているデータに対して前記データ操作を反映させる整合処理を実行する整合手段と、を具備することを特徴とする。
【００３２】
【発明の実施の形態】
以下、本発明の実施の形態を図面に基づいて詳細に説明する。
【００３３】
［第１の実施の形態］
図１は本発明の第１の実施の形態に係る情報処理システム（電話帳データ管理システム）の構成を示すブロック図である。本発明の第１の実施の形態に係る電話帳データ管理システムは、アプリケーション１・１１０（第１のアプリケーション）を有するパーソナルコンピュータ（以下ＰＣと略称）１００、データ１・２１０（記憶手段）を有するクレイドル２００、アプリケーション２・３１０（第２のアプリケーション）及びデータ２・３２０（格納手段）を有する携帯機器３００を具備している。
【００３４】
上記構成を詳述すると、ＰＣ１００は、電話帳データを参照・編集するためのアプリケーション１・１１０を内蔵している。クレイドル２００は、ＰＣ１００に接続可能であり、ＰＣ１００のアプリケーション１・１１０で扱う電話帳データが格納されるデータ１・２１０を内蔵している。携帯機器３００は、電話帳データをハンドリングするための機器であり、ＰＣ１００のアプリケーション１・１１０と同様の機能を持つアプリケーション２・３１０と、そのアプリケーション２・３１０が扱う電話帳データが格納されるデータ２・３２０を内蔵している。携帯機器３００は、充電及びデータの整合処理のためにクレイドル２００に対し着脱可能となるよう構成されている。
【００３５】
図２は本発明の第１の実施の形態に係る電話帳データ管理システムのクレイドル２００の詳細構成を示すブロック図である。本発明の第１の実施の形態に係る電話帳データ管理システムのクレイドル２００は、ＣＰＵバス２０１、データＲＡＭ（ランダムアクセスメモリ）２１０、ＣＰＵ２２０（整合手段）、ＲＯＭ（リードオンリメモリ）２３０、ワークＲＡＭ２４０、Ｉ／Ｏコントローラ２５０、コネクタ１・２６０、コネクタ２・２６１、充電回路２７０、電源回路２８０を具備している。
【００３６】
上記構成を詳述すると、ＣＰＵ２２０は、中央演算処理装置であり、クレイドル２００の動作はこのＣＰＵ２２０により制御される。また、ＣＰＵ２２０は、後述の図４〜図６のフローチャートに示す処理を実行する。ＣＰＵバス２０１は、ＣＰＵ２２０とのその周辺デバイスとの通信を行う信号線であり、制御プログラムを記憶しているＲＯＭ２３０、電話帳データが格納されるデータＲＡＭ２１０、ＣＰＵ２２０が作業で使うワークＲＡＭ２４０、入出力データを制御するＩ／Ｏコントローラ２５０が接続されている。
【００３７】
Ｉ／Ｏコントローラ２５０は、ＰＣ１００と通信を行うための信号線が出ているコネクタ１・２６０、携帯機器３００と通信を行うための信号線が出ているコネクタ２・２６１、携帯機器３００を充電するための充電回路２７０と接続されており、各々の信号の制御を行う。充電回路２７０は、Ｉ／Ｏコントローラ２５０を通してＣＰＵ２２０で制御され、電源回路２８０から受けた電力をコネクタ２・２６１から携帯機器３００に供給する。
【００３８】
本発明の第１の実施の形態では、上記図２の構成で示したように、ＰＣ１００側のデータが全てクレイドル２００内にあるため、ＰＣ１００の電源がオフとなっていても、データの整合処理は問題無く実行できるように構成されている。また、本発明の第１の実施の形態では、クレイドル２００がデータの整合処理と携帯機器３００の充電処理を兼ねているため、ユーザは充電のためにクレイドル２００に携帯機器３００をセットしただけで、データの整合処理をあまり意識しなくても自動的に整合が取れるという利点を有するものである。
【００３９】
図３は本発明の第１の実施の形態に係る電話帳データ管理システムのクレイドル２００内の電話帳データ２１０及び携帯機器３００内の電話帳データ３２０の構造を示す説明図である。一件の電話帳データは図の横一列分であり、左の項目から順に、よみ、名前、電話番号、コード、フラグとなっている。
【００４０】
コードは、ＰＣ１００のデータと整合処理が行われた時につけられ、次の整合処理時に、変更・削除のあったデータを特定するために用いられる。また、新規追加データであって、整合処理がまだ行われていないデータは空欄となる（ｆ）。フラグは、ＰＣ１００のデータと整合処理が行われた場合は「Ｎ」、データが削除された場合は「Ｄ」、データの内容が変更された場合は「Ｃ」、新規に追加されたデータは「Ａ」となる。
【００４１】
図１０は本発明のデータ整合方法を実行するプログラム及び関連データが記憶媒体から装置に供給される概念例を示す説明図である。本発明のデータ整合方法を実行するプログラム及び関連データは、フロッピディスクやＣＤ−ＲＯＭ等の記憶媒体１００１をコンピュータ等の装置１００２に装備された記憶媒体ドライブ挿入口１００３に挿入することで供給される。その後、プログラム及び関連データを記憶媒体１００１から一旦ハードディスクにインストールしハードディスクからＲＡＭにロードするか、或いはハードディスクにインストールせずに直接ＲＡＭにロードすることで、プログラム及び関連データを実行することが可能となる。
【００４２】
この場合、本発明の第１〜第３の実施の形態に係る電話帳データ管理システム、情報処理システムにおいて、本発明のデータ整合方法を実行するプログラムを実行させる場合は、例えば上記図１０を参照して説明したような手順でＰＣ１００、クレイドル２００、携帯機器３００に当該プログラム及び関連データを供給するか、或いはＰＣ１００、クレイドル２００、携帯機器３００に予め当該プログラム及び関連データを格納しておくことで、プログラム実行が可能となる。
【００４３】
図９は本発明のデータ整合方法を実行するプログラム及び関連データを記憶した記憶媒体の記憶内容の構成例を示す説明図である。記憶媒体は、例えばボリューム情報９０１、ディレクトリ情報９０２、プログラム実行ファイル９０３、プログラム関連データファイル９０４等の記憶内容で構成される。本発明のデータ整合方法を実行するプログラムは、第１の実施の形態の図４〜図６のフローチャート、第２の実施の形態の制御手順、第３の実施の形態の制御手順に基づきプログラムコード化されたものである。
【００４４】
次に、上記の如く構成された本発明の第１の実施の形態に係る電話帳データ管理システムの動作を図４〜図６のフローチャートを参照しながら詳細に説明する。
【００４５】
図４は本発明の第１の実施の形態に係る電話帳データの整合処理におけるクレイドル２００内での処理の流れを示すフローチャートである。ステップＳ１００では、クレイドル２００は携帯機器３００内で削除が行われたデータのコードを受信し、該当データの削除処理を行う。この処理の詳細は、図５と共に後述する。ステップＳ２００では、クレイドル２００はクレイドル内で削除されたデータ（電話帳データのフラグ欄が「Ｄ」のデータ）のコードを、携帯機器３００へ送信する。ステップＳ３００では、クレイドル２００は携帯機器３００内で変更が行われたデータの内容を受信し、該当データの変更処理を行う。この処理の詳細は、図６と共に後述する。
【００４６】
ステップＳ４００では、クレイドル２００はクレイドル内で変更されたデータ（電話帳データのフラグ欄が「Ｃ」のデータ）の内容を、携帯機器３００へ送信する。ステップＳ５００では、クレイドル２００は携帯機器３００内で新規に追加されたデータの内容を受信し、電話帳データ２１０に追加する。この時、電話帳データのフラグ欄は「Ｎ」とし、クレイドル内で追加されたデータと区別する。ステップＳ６００では、クレイドル２００はクレイドル内で新規に追加されたデータ（電話帳データのフラグ欄が「Ａ」のデータ）の内容を、携帯機器３００へ送信する。
【００４７】
ステップＳ７００では、クレイドル２００は電話帳データのフラグ欄が「Ｎ」「Ｃ」「Ａ」のデータを、よみ、名前、電話番号の優先順位で昇順にソートする。ステップＳ８００では、クレイドル２００は上記ステップＳ７００でソートされた順に、データコードを再設定し、同時に電話帳データのフラグ欄を全て「Ｎ」にする。
【００４８】
上記図４の一連の処理に対応して、携帯機器３００内では送信・受信の方向が逆となる同様の処理が行われる。
【００４９】
図５は本発明の第１の実施の形態に係る電話帳データの整合処理中の、クレイドル２００内でのデータ削除処理の詳細を示すフローチャートである。ステップＳ１１０では、クレイドル２００は携帯機器３００で削除されたデータのコードを受信する。ステップＳ２１０では、クレイドル２００は削除対象データがクレイドル内で変更されているかどうかチェックする。
【００５０】
もし、削除対象データが変更されている（電話帳データのフラグ欄が「Ｃ」）ならば、削除せずに次のステップＳ１３０をスキップする。ステップＳ１３０では、クレイドル２００は該当データを削除する。ここでの削除処理は、電話帳データのフラグ欄を空欄とすることで削除が行われる。ステップＳ１４０では、クレイドル２００は削除データが全て処理し終わったかどうかチェックし、まだ削除データが残っているならば、上記ステップＳ１１０へ戻り処理が繰り返される。
【００５１】
図６は本発明の第１の実施の形態に係る電話帳データの整合処理中の、クレイドル２００内でのデータ変更処理の詳細を示すフローチャートである。ステップＳ３１０では、クレイドル２００は携帯機器３００で変更されたデータの内容を受信する。ステップＳ３２０では、クレイドル２００は対象データがクレイドル内でも変更されているかどうかチェックする。
【００５２】
もし、対象データが変更されている（電話帳データのフラグ欄が「Ｃ」）ならば、ステップＳ３４０で、クレイドル２００は上記受信したデータを新規データとして追加し（この時、電話帳データのフラグ欄は「Ｎ」にする）、それ以外ならば、ステップＳ３３０で、上記受信したデータに置き換える。ステップＳ３５０では、クレイドル２００は変更データが全て処理し終わったかどうかチェックし、まだ変更データが残っているならば、上記ステップＳ３１０へ戻り処理が繰り返される。
【００５３】
尚、本発明の第１の実施の形態では、ＰＣ１００と携帯機器３００の双方で同じデータに対して変更が行われた場合、２件のデータにしてしまうが、どちらを採用するかをユーザが選択できるような仕組みを持たせる構成にしてもよい。
【００５４】
以上説明したように、本発明の第１の実施の形態に係る電話帳データ管理システムによれば、携帯機器３００は、アプリケーション２・３１０と、アプリケーション２・３１０が管理するデータを記憶するデータ２・３２０とを具備し、クレイドル２００は、ＰＣ１００のアプリケーション１・１１０から管理されるデータを記憶するデータ１・２１０と、クレイドル２００に携帯機器３００がセットされた場合、データ１・２１０の内容とデータ２・３２０の内容の整合を取る制御を実行するＣＰＵ２２０とを具備するため、下記のような作用及び効果を奏する。
【００５５】
据置型のＰＣ１００のデータと携帯機器３００のデータの整合を取る作業を行うためだけに、据置型のＰＣ１００側の立ち上げを必要とせず、またＰＣ１００が電源断等の理由で機能していない状態にあったとしても、短時間で整合作業を行うことができる情報処理システムを提供できるという効果を奏する。また、ユーザは充電のためにクレイドル２００に携帯機器３００をセットしただけで、整合処理をあまり意識しなくても自動的に整合を取ることができるという効果を奏する。
【００５６】
［第２の実施の形態］
図７は本発明の第２の実施の形態に係る情報処理システムの構成を示すブロック図である。本発明の第２の実施の形態に係る情報処理システムは、アプリケーション１・１１０（第１のアプリケーション）を有するＰＣ１・１００、アプリケーション１’・１１０’（第１のアプリケーション）を有するＰＣ２・１００’、データ１・２１０（記憶手段）を有するクレイドル２００、アプリケーション２・３１０（第２のアプリケーション）及びデータ２・３２０（格納手段）を有する携帯機器３００を具備している。
【００５７】
また、本発明の第２の実施の形態に係る情報処理システムのクレイドル２００は、上記第１の実施の形態と同様に、ＣＰＵバス２０１、データＲＡＭ（ランダムアクセスメモリ）２１０、ＣＰＵ２２０（整合手段）、ＲＯＭ（リードオンリメモリ）２３０、ワークＲＡＭ２４０、Ｉ／Ｏコントローラ２５０、コネクタ１・２６０、コネクタ２・２６１、充電回路２７０、電源回路２８０を具備している（上記図２参照）。各部の構成は上記第１の実施の形態で詳述したので説明を省略する。
【００５８】
本発明の上記第１の実施の形態では、ＰＣ１００とクレイドル２００は１対１で接続する構成としたが、本発明の第２の実施の形態では、ＰＣ１・１００、ＰＣ２・１００’という２台のＰＣがクレイドル２００と接続可能になっている。この構成は３台以上となってもよい。各々のＰＣ１・１００、ＰＣ２・１００’上のアプリケーション１・１１０、アプリケーション１’・１１０’は、クレイドル２００上の同じデータ１・２１０を参照する。また、この２台のＰＣ１・１００、ＰＣ２・１００’とクレイドル２００の接続は、同時に接続されても、接続コードを繋ぎ代えることによっても可能である。
【００５９】
以上説明したように、本発明の第２の実施の形態に係る情報処理システムによれば、携帯機器３００は、アプリケーション２・３１０と、アプリケーション２・３１０が管理するデータを記憶するデータ２・３２０とを具備し、クレイドル２００は、複数のＰＣ１・１００、ＰＣ２・１００’のアプリケーション１・１１０、アプリケーション１’・１１０’から管理されるデータを記憶するデータ１・２１０と、クレイドル２００に携帯機器３００がセットされた場合、データ１・２１０の内容とデータ２・３２０の内容の整合を取る制御を実行するＣＰＵ２２０とを具備するため、下記のような作用及び効果を奏する。
【００６０】
ＰＣ１・１００、ＰＣ２・１００’の参照するデータが全てクレイドル２００内にあるため、複数のＰＣでデータを共有する構成においても、携帯機器３００と整合を取りながらのデータの共有を簡単に実現することが可能であるという効果を奏する。
【００６１】
［第３の実施の形態］
図８は本発明の第３の実施の形態に係る情報処理システムの構成を示すブロック図である。本発明の第３の実施の形態に係る情報処理システムは、アプリケーション１・１１０（第１のアプリケーション）及びデータ２・１２０を有するＰＣ１・１００、更新データ４００（記憶手段）を有するクレイドル２００、アプリケーション２・３１０（第２のアプリケーション）及びデータ２・３２０（格納手段）を有する携帯機器３００を具備している。
【００６２】
また、本発明の第３の実施の形態に係る情報処理システムのクレイドル２００は、上記第１の実施の形態と同様に、ＣＰＵバス２０１、データＲＡＭ（ランダムアクセスメモリ）２１０、ＣＰＵ２２０（整合手段）、ＲＯＭ（リードオンリメモリ）２３０、ワークＲＡＭ２４０、Ｉ／Ｏコントローラ２５０、コネクタ１・２６０、コネクタ２・２６１、充電回路２７０、電源回路２８０を具備している（上記図２参照）。各部の構成は上記第１の実施の形態で詳述したので説明を省略する。
【００６３】
本発明の第３の実施の形態では、ＰＣ１００のアプリケーション１・１１０が参照するデータ２・１２０をＰＣ１００内に持ち、クレイドル２００内にはデータの更新情報を示す更新データ４００のみを持つ構成となっている。
【００６４】
ＰＣ１００内のデータ１・１２０とクレイドル２００内の更新データ４００との整合処理は、アプリケーション１・１１０の起動時に行われ、アプリケーション１・１１０の実行中の変更内容は、逐次、更新データ４００にも記録される。クレイドル２００内の更新データ４００と、携帯機器３００内のデータ２・３２０との整合処理は、携帯機器３００がクレイドル２００にセットされた時に行う。この時、ＰＣ１００の電源がオフとなっていても整合処理の実行は可能である。
【００６５】
以上説明したように、本発明の第３の実施の形態に係る情報処理システムによれば、ＰＣ１００は、アプリケーション１・１１０と、アプリケーション１・１１０が管理するデータを記憶するデータ２・１２０とを具備し、携帯機器３００は、アプリケーション２・３１０と、アプリケーション２・３１０が管理するデータを記憶するデータ２・３２０とを具備し、クレイドル２００は、ＰＣ１００内のアプリケーション１・１１０によってデータ２・１２０の内容が編集・削除・追加された場合、及び携帯機器３００のアプリケーション２・３１０によってデータ２・３２０の内容が編集・削除・追加された場合、当該変更に関連した内容のみを記憶する更新データ４００と、ＰＣ１００内のアプリケーション実行時に、データ２・１２０の内容と更新データ４００の内容の整合を取り、クレイドル２００に携帯機器３００がセットされた場合、データ２・３２０の内容と更新データ４００の内容の整合を取る制御を実行するＣＰＵ２２０とを具備するため、下記のような作用及び効果を奏する。
【００６６】
クレイドル２００内に保存するデータは更新されたデータ情報だけであるので、ＰＣ１００の電源がオフとなっていても整合処理が実行できる利点は残したまま、クレイドル２００内のメモリ容量を節約できるという効果を奏する。
【００６７】
［他の実施の形態］
本発明の上記実施形態では、電話帳データ管理におけるデータ整合処理の場合を例に上げたが、本発明は、電話帳データ管理におけるデータ整合処理以外に、各種データ管理におけるデータ整合処理に適用することが可能である。
【００６８】
尚、本発明は、複数の機器から構成されるシステムに適用しても、１つの機器からなる装置に適用してもよい。上述した実施形態の機能を実現するソフトウエアのプログラムコードを記憶した記憶媒体を、システム或いは装置に供給し、そのシステム或いは装置のコンピュータ（またはＣＰＵやＭＰＣ）が記憶媒体等の媒体に格納されたプログラムコードを読み出し実行することによっても、達成されることは言うまでもない。
【００６９】
この場合、記憶媒体等の媒体から読み出されたプログラムコード自体が上述した実施形態の機能を実現することになり、そのプログラムコードを記憶した記憶媒体等の媒体は本発明を構成することになる。プログラムコードを供給するための記憶媒体等の媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭ、或いはネットワークを介したダウンロードなどを用いることができる。
【００７０】
また、コンピュータが読み出したプログラムコードを実行することにより、上述した実施形態の機能が実現されるだけでなく、そのプログラムコードの指示に基づき、コンピュータ上で稼働しているＯＳなどが実際の処理の一部または全部を行い、その処理によって上述した実施形態の機能が実現される場合も含まれることは言うまでもない。
【００７１】
更に、記憶媒体等の媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も含まれることは言うまでもない。
【００７３】
【発明の効果】
以上説明したように、本発明によれば、据置型の情報処理装置のデータと携帯情報機器のデータの整合を取る作業を行うためだけに据置型の情報処理装置側の立ち上げを必要とせず、また情報処理装置が電源断等の理由で機能していない状態にあったとしても、短時間で整合作業を行うことができるという効果を奏する。また、ユーザは例えば充電のために情報中継装置に情報機器をセットしただけで、整合処理をあまり意識しなくても自動的に整合を取ることができるという効果を奏する。
【図面の簡単な説明】
【図１】本発明の第１の実施の形態に係る電話帳データ管理システムの概略構成を示すブロック図である。
【図２】本発明の第１乃至第３の実施の形態に係るクレイドルの内部構成を示すブロック図である。
【図３】本発明の第１の実施の形態に係るクレイドル及び携帯機器における電話帳データのデータ構造を示す説明図である。
【図４】本発明の第１の実施の形態に係るクレイドルにおける電話帳データ更新処理を示すフローチャートである。
【図５】本発明の第１の実施の形態に係るクレイドルにおける電話帳データ更新時のデータ削除処理を示すフローチャートである。
【図６】本発明の第１の実施の形態に係るクレイドルにおける電話帳データ更新時のデータ変更処理を示すフローチャートである。
【図７】本発明の第２の実施の形態に係る情報処理システムの構成を示すブロック図である。
【図８】本発明の第３の実施の形態に係る情報処理システムの構成を示すブロック図である。
【図９】本発明のデータ整合方法を実行するプログラム及び関連データを記憶した記憶媒体の記憶内容の構成例を示す説明図である。
【図１０】本発明のデータ整合方法を実行するプログラム及び関連データが記憶媒体から装置に供給される概念例を示す説明図である。
【符号の説明】
１００  ＰＣ、ＰＣ１
１００’  ＰＣ２
１１０  アプリケーション１
１１０’  アプリケーション１’
２００  クレイドル
２１０  データ１
２２０  ＣＰＵ
３００  携帯機器
３１０  アプリケーション２
１２０、３２０  データ２
４００  更新データ
【図１】
0004532699.tif 000002
【図２】
0004532699.tif 000003
【図３】
0004532699.tif 000004
【図４】
0004532699.tif 000005
【図５】
0004532699.tif 000006
【図６】
0004532699.tif 000007
【図７】
0004532699.tif 000008
【図８】
0004532699.tif 000009
【図９】
0004532699.tif 000010
【図１０】
0004532699.tif 000011